(57)【特許請求の範囲】
【請求項１】
自然サーモ・キャリアに合わせる熱回収の流体交換システムであって、それは自然界に貯蔵される相対的に安定の地層、地表、池、湖、川などの固体又は液体などの自然な物体で自然サーモ・キャリアが構成され、又、自然サーモ・キャリアの中に良い熱伝導性がある自動熱均等化装置を設け、又、自然サーモ・キャリア自体に備える流体を貯める空間で伝送パイプと繋がることで、直接自動熱均等化装置の機能が構成され、又、自動熱均等化装置に通過する相対的に高い温度である流体に吸熱及び冷却を行い、又は自動熱均等化装置に通過する相対的に低い温度である流体に放熱加温及び冷却を行なうことで、自動調整制御体が外部の受動交換流体源に温度差のある流体を排出する場合、又は、外部の受動交換流体源が自動調整制御体に温度差のある流体を流す場合、自然サーモ・キャリアに設けられる自動熱均等化装置を使って、上述の通過した流体に自動熱均等化装置との相対温度差によって、吸熱冷却、又は放熱加温の熱回収機能を行い、
単一流路が直接伝送する熱回収の流体交換システムは、
自然サーモ・キャリア１０１は、熱貯蔵がより安定する地層、地表、池、湖、川、砂漠、氷山、海洋などの固体又は液体のサーモ・キャリアで構成されるものであって、
自動熱均等化装置１０２は、良い熱伝導性を備える材料で構成され、自然サーモ・キャリア１０１と良い熱伝導状態を維持する構造であり、又は、前述の良い熱伝導性を備える材料で構成された自動熱均等化装置を自然サーモ・キャリア１０１の内部にある流体を流通させる空間で直接構成された自動熱均等化機能に変更し、
自動調整制御体１０３は、特定の機能を備える空間又は構造で構成され、システムの運転中、メインポンプ１０６の駆動を受けて、直接自動熱均等化装置１０２を通して、内部の流体を外部に送って、外部の流体を内部に導入することで、熱回収の流体交換機能を実施し、
外部の受動交換流体源１０４は、自然界又は人工で処理された気体又は液体などの流体源であり、システムの運転中、メインポンプ１０６の駆動を受けて、外部流体が自動熱均等化装置１０２を通して、自動調整制御体１０３に入ることを提供するものであり、更に自動調整制御体１０３より排出される流体を受けて、それを薄め、
伝送パイプ１０５は、１個又は１個以上の外部の流体を導入し、又は内部の流体を排出するパイプで構成されるもので、伝送パイプ１０５が自然サーモ・キャリア１０１と接触する間に良い断熱構造１０７を備えるか、伝送パイプは良い断熱体で製造され、
メインポンプ１０６は、電力又は機械力で駆動する流体ポンプで構成され、
ろ過装置１０８は、長い時間が経つための塞ぐことを防止可能で、清潔の機能もあるろ過装置であり、流体の吸入口又は出口に取り付ける、ろ過ネット及び有害流体のろ過装置で構成され、この装置は必要によって設置することが可能であり、
湿度の調整装置又は湿度の処理構造１０９は、湿度の検知装置又は排出ポンプセット、配管に予め設けられた排出穴の湿度又は溜まる水の処理構造で構成され、この装置は必要によって設置することが可能であり、
制御ユニット１１０は、機電又は固体電子電気回路及び関連するソフトで構成され、その機能は必要によって、流体流量の制御及びバルブの制御、流体温度の監視、制御、流体ポンプの制御、安全保護制御の機能を選ぶことが可能であり、又はその他制御対応策の処理を行い、上述によって、温度及び交換気流の流量、湿度などを調整、制御可能な機能が構成され、
少なくとも一つの伝送パイプ１０５を設け、それによって、自動調整制御体１０３、自動熱均等化装置１０２、メインポンプ１０６、及び外部の受動交換流体源１０４を貫通することで、単一流路の流体伝送通路が構成され、
少なくとも１セットのメインポンプ１０６を設け、又は、必要によって、分路ポンプ２０６を設けることが可能であり、メインポンプ１０６によって周期性の時計回り及び逆時計回りで流体を駆動することで、自動熱均等化装置１０２に流れてきた流体の流動方向を定時に周期的で交換して駆動し、即ち、自動調整制御体１０３の内部流体を駆動して、伝送パイプ１０５を通して自然サーモ・キャリア１０１に設けてある自動熱均等化装置１０２に入ってから、再び伝送パイプ１０５及び湿度調整装置又は湿度処理構造１０９、ろ過装置１０８を通して、外部の受動交換流体源１０４又はその他特定の空間又は構造体まで伝送し、又、外部の受動交換流体源１０４の外部流体を駆動して、ろ過装置１０８及び湿度調整装置又は湿度処理構造１０９を通してから、再び伝送パイプ１０５を経由して、自然サーモ・キャリア１０１に設けてある自動熱均等化装置１０２に入り、再び伝送パイプ１０５を経由して、流体を自動調整制御体１０３まで伝送することで、自動熱均等化装置１０２がその流れてきた流体に温度差によって、吸熱冷却及び放熱加温の周期変化を呈するものであることを特徴とする自然サーモ・キャリアに合わせる熱回収の流体交換システム。
【請求項２】
自動熱均等化装置１０２によって、その増設された１セット又は１セット以上の中継熱均等化装置２０２に間接温度エネルギーを伝送することで、単一流路が間接伝送する熱回収の流体交換システムが構成され、
自然サーモ・キャリア１０１の中に、少なくとも１セットの熱伝導性が良い自動熱均等化装置１０２を設けることで、自動熱均等化装置１０２が自動的に自然サーモ・キャリア１０１と熱均等化の伝送機能を形成し、
少なくとも１セットの中継熱均等化装置２０２は、熱貯蔵及び熱伝導が良い材料で構成され、その上に、少なくとも１セットの伝送パイプ１０５を設けることで、自動熱均等化装置１０２と中継熱均等化装置２０２の間に設けることが可能であり、それによって、補助ポンプ２０７の駆動する熱伝導流体２０９を伝送して、その中継熱均等化装置２０２及び自動熱均等化装置１０２の温度を接近させ、又、少なくとも別で１セットの伝送パイプ１０５、ろ過装置１０８、湿度調整装置又は湿度処理構造１０９、メインポンプ１０６を設けてあるので、メインポンプ１０６を駆動して自動調整制御体１０３と外部の受動交換流体源１０４の間での流体を伝送することが可能であり、前記２セットの伝送パイプ１０５の流体はすべて中継熱均等化装置２０２中継熱均等化装置２０２に流れるし、中継熱均等化装置２０２を通して、相互に温度均等化の作用を行い、
熱伝導流体２０９は、熱貯蔵及び熱伝導性が良い気体又は液体で構成され、又、補助ポンプ２０７を駆動することで、湿度調整装置又は湿度処理構造１０９、伝送パイプ１０５を通して流路を構成し、それによって、自動熱均等化装置１０２と中継熱均等化装置２０２に均等な熱で伝送する機能をもたらし、
メインポンプ１０６は、電力又は機械力で駆動する流体ポンプで構成され、
補助ポンプ１０７は、電力又は機械力で駆動する流体ポンプで構成され、
自動熱均等化装置１０２と中継熱均等化装置２０２の間での温度均等化システムは下記のものを含み、
（１）少なくとも１セットの自動熱均等化装置１０２と少なくとも１セットの中継熱均等化装置２０２の間に、少なくとも１セットの伝送パイプ１０５及び少なくとも１セットの流体補助ポンプ２０７、又は必要によって設けられた分路ポンプ２０６が共同に封鎖ループ形状の流路を設けることで、熱伝導性が良い熱伝導流体２０９を駆動して循環に伝送して、自動熱均等化装置１０２及び中継熱均等化装置２０２の間での温度均等化の機能を構成し、
（２）直接熱伝導が良いヒートパイプ３００を使って、自動熱均等化装置１０２及び中継熱均等化装置２０２の間での温度を均等させることで、流体のメインポンプ１０６又は分路ポンプ２０６を省略し、
（３）少なくとも１セットの自動熱均等化装置１０２と少なくとも１セットの中継熱均等化装置２０２の間に、少なくとも１セットの伝送パイプ１０５及び少なくとも１セットの流体メインポンプ１０６で開放型の流路を設けることで、熱伝導性が良い熱伝導流体２０９を駆動して、単一方向の開放性で駆動することによって、自動熱均等化装置１０２及び中継熱均等化装置２０２の間での温度均等化の機能を構成し、
中継熱均等化装置２０２の上に自動調整制御体１０３及び外部の受動交換流体源１０４と繋ぐ伝送パイプ１０５が設けられ、又、メインポンプ１０６によって周期性の時計回り及び逆時計回りで流体を駆動することで、自動調整制御体１０３を駆動して外部の受動交換流体源１０４に送られた内部流体、又は外部の受動交換流体源１０４を駆動して、自動調整制御体１０３に送られた外部流体を中継熱均等化装置２０２に流れる流動方向は周期交換を呈して、中継熱均等化装置２０２がその流れてきた流体に温度差によって、吸熱冷却及び放熱加温の周期変化を呈することで、間接自然サーモ・キャリアに合わせる熱回収の流体交換システムを構成することを特徴とする請求項１記載の自然サーモ・キャリアに合わせる熱回収の流体交換システム。
【請求項３】
自然サーモ・キャリアに合わせる熱回収の流体交換システムであって、それは自然界に貯蔵される相対的に安定の地層、地表、池、湖、川などの固体又は液体などの自然な物体で自然サーモ・キャリアが構成され、又、自然サーモ・キャリアの中に良い熱伝導性がある自動熱均等化装置を設け、又、自然サーモ・キャリア自体に備える流体を貯める空間で伝送パイプと繋がることで、直接自動熱均等化装置の機能が構成され、又、自動熱均等化装置に通過する相対的に高い温度である流体に吸熱及び冷却を行い、又は自動熱均等化装置に通過する相対的に低い温度である流体に放熱加温及び冷却を行なうことで、自動調整制御体が外部の受動交換流体源に温度差のある流体を排出する場合、又は、外部の受動交換流体源が自動調整制御体に温度差のある流体を流す場合、自然サーモ・キャリアに設けられる自動熱均等化装置を使って、上述の通過した流体に自動熱均等化装置との相対温度差によって、吸熱冷却、又は放熱加温の熱回収機能を行い、
双方向流路が直接伝送する熱回収の流体交換システムは、
自然サーモ・キャリア１０１は、熱貯蔵がより安定する地層、地表、池、湖、川、砂漠、氷山、海洋などの固体又は液体のサーモ・キャリアで構成され、
自動調整制御体１０３と外部の受動交換流体源１０４との間に、それぞれ２セットの独立で流体を通過する伝送パイプ１０５が設けられるので、独立で自然サーモ・キャリア１０１に設けてある自動熱均等化装置１０２と繋がり、その中での一つの流路は、自動調整制御体１０３の内部での流体をメインポンプ１０６の駆動によって、湿度調整装置又は湿度処理構造１０９及び自動熱均等化装置１０２を経由してから、再びろ過装置１０８を通して、外部の受動交換流体源１０４又はその他特定機能ある空間構造に排出することを提供し、又、別一つの流路は、外部の受動交換流体源１０４の流体をメインポンプ１０６の駆動によって、ろ過装置１０８、湿度調整装置又は湿度処理構造１０９を経由してから、再び自動熱均等化装置１０２を通して、自動調整制御体１０３と繋がることを提供し、二つの独立の流路に個別で運転できるメインポンプ１０６を設けてあることで、同時に個別の独立する流体の伝送パイプ１０５に異なる方向の駆動を行ない、
双方向流路が直接伝送する熱回収の流体交換システムの中での個別のメインポンプを共用構造で運転する双方向のメインポンプに変更し、
少なくとも１セットの共用構造で運転する双方向のメインポンプ１００６によって、同時に個別で独立する伝送パイプ１０５の流体に異なる方向へ駆動することが可能であり、この共用構造で運転する双方向のメインポンプ１００６は、更に周期交換で流体方向を駆動することも可能であり、
２セットの個別で独立する伝送パイプ１０５の中での流体の通過する自動熱均等化装置１０２を自然サーモ・キャリア１０１に共用構造、又は隣接で設置、個別で独立設置することが可能であることを特徴とする自然サーモ・キャリアに合わせる熱回収の流体交換システム。
【請求項４】
双方向流路が直接伝送する熱回収の流体交換システムは、
自然サーモ・キャリア１０１は、熱貯蔵がより安定する地層、地表、池、湖、川、砂漠、氷山、海洋などの固体又は液体のサーモ・キャリアで構成され、
少なくとも１セットの自動熱均等化装置１０２があり、それは良い熱伝導性のある材料で構成され、それを自然サーモ・キャリア１０１の中に設けることで、自動熱均等化装置１００２と自然サーモ・キャリア１０１はすべて熱均等化の伝送機能が形成され、
中継熱均等化装置２０２は、少なくとも１セットの中継熱均等化装置２０２は、熱貯蔵及び熱伝導が良い材料で構成され、中継熱均等化装置２０２の中に、少なくとも１セットの伝送パイプ１０５を設けることで、自動熱均等化装置１０２と流体通路が構成されるので、補助ポンプ２０７の駆動する熱伝導流体２０９を伝送することが可能で、このシステムの中に、少なくとも１セットの伝送パイプ１０５を設けてあるので、メインポンプ１０６の駆動する外部の受動交換流体源１０４流体が中継熱均等化装置２０２を通して、自動調整制御体１０３に転じることが可能となり、又、少なくとも１セットの伝送パイプ１０５を設けることで、メインポンプ１０６の駆動する自動調整制御体１０３の中での流体が中継熱均等化装置２０２を通して、駆動する外部の受動交換流体源１０４、又はその他の特定機能がある空間の構造に排出し、前述の３セットの伝送パイプは、中継熱均等化装置２０２によって、相互にエネルギーを伝送することで、間接的に自然サーモ・キャリア１０１に合わせる熱回収の流体交換システムを構成し、
２セットの個別で独立する伝送パイプ１０５の中での流体の通過する中継熱均等化装置２０２を自然サーモ・キャリア１０１に共用構造、又は隣接で設置、個別で独立設置するため、それは自動熱均等化装置１０２との間にすべて熱均等化の伝送機能を備える装置であることを特徴とする請求項１記載の自然サーモ・キャリアに合わせる熱回収の流体交換システム。
【請求項５】
自動熱均等化装置１０２と中継熱均等化装置２０２の間での温度均等化の方式は下記のものを含み、
（１）少なくとも１セットの自動熱均等化装置１０２と少なくとも１セットの中継熱均等化装置２０２との間に、少なくとも１セットの伝送パイプ１０５及び少なくとも１セットの流体補助ポンプ１０６、又は必要によって設けられた分路ポンプ２０６が共同に封鎖ループ形状の流路を設けることで、熱伝導性が良い熱伝導流体２０９を駆動して循環に伝送して、自動熱均等化装置１０２及び中継熱均等化装置２０２の間での温度均等化の機能を構成し、
（２）直接熱伝導が良いヒートパイプ３００を使って、自動熱均等化装置１０２及び中継熱均等化装置２０２の間での温度を均等にさせることで、流体のメインポンプ１０６又は分路ポンプ２０６を省略し、
（３）少なくとも１セットの自動熱均等化装置１０２と少なくとも１セットの中継熱均等化装置２０２との間に、少なくとも１セットの伝送パイプ１０５及び少なくとも１セットの流体補助ポンプ２０７で開放型の流路を設けることで、熱伝導性が良い熱伝導流体２０９を駆動して、単一方向の開放性で駆動することによって、自動熱均等化装置１０２及び中継熱均等化装置２０２の間での温度均等化の機能を構成し、
（４）少なくとも１セットの中継熱均等化装置２０２と少なくとも１セットの自動熱均等化装置１０２の間に、熱伝導流体２０９を通過することを提供する伝送パイプ１０５及び補助ポンプ２０７を設けてあるので、熱伝導流体２０９を駆動する補助ポンプ２０７が単一方向の駆動、又は定時に周期的で駆動する流体の流動方向を交換することで、中継熱均等化装置２０２と自動熱均等化装置１０２との間での温度差を均等にすることを特徴とする請求項２又は請求項４記載の自然サーモ・キャリアに合わせる熱回収の流体交換システム。
【請求項６】
自動調整制御体１０３と外部の受動交換流体源１０４との間での流体を通過させる２セットの独立の伝送パイプ１０５は、それぞれ流体を駆動してから、自動熱均等化装置１０２又は中継熱均等化装置２０２と繋がり、その個別で駆動する方式は、
（１）個別で設けられた個別で運転可能なメインポンプ１０６に、同時に個別で独立する流体伝送パイプ１０５の中での流体を異なる方向に駆動することが可能で、又、
（２）少なくとも１セットの共用構造で運転する双方向のメインポンプ１００６によって、同時に個別で独立する流体の伝送パイプ１０５の中での流体を異なる方向に駆動することが可能であり、又、そのメインポンプ１０６が更にその駆動する流体方向を周期に変換することが可能であることを特徴とする請求項３、請求項４、または請求項５記載の自然サーモ・キャリアに合わせる熱回収の流体交換システム。
【請求項７】
伝送パイプ１０５は、熱貯蔵が良い材料及び特定な形状がある材料で構成され、それは充分の長さがあるので、自然サーモ・キャリア１０１に埋めることが可能であり、そのため、自動熱均等化装置１０２をそれに変更して熱均等化の機能を構成することを特徴とする請求項１〜６のいずれか一項に記載の自然サーモ・キャリアに合わせる熱回収の流体交換システム。
【請求項８】
請求項１で記載された自然サーモ・キャリアに合わせる熱回収の流体交換システムに関するものであり、その周期変換で駆動する流体の流動方向は、更に、同一のメインポンプ１０６で単一方向の駆動を行うことが可能であり、又、パイプ流れバルブ４００によって周期変換で駆動する流体の流動方向、又は、複数セットの異なる流動方向を駆動できるポンプによって、周期変換で流体の流動方向を駆動することが可能であることを特徴とする請求項１〜６いずれか一項に記載の自然サーモ・キャリアに合わせる熱回収の流体交換システム。
【請求項９】
必要によって、下記のような補助制御管理装置を選んで設けることが可能であり、その含むものは、
流量計は、交換流体の流量を累積で計算可能であり、この装置は必要によって設けることが可能で、
ろ過装置は、長い時間が経つための塞ぐことを防止可能で、清潔の機能もあるろ過装置であり、それは流体の吸入口又は出口に取り付ける、ろ過ネット及び有害流体のろ過装置で構成され、この装置は必要によって設けることが可能で、
流量の調節バルブは、人工又は機械で交換流量又は放熱量を制御し、この装置は必要によって設けることが可能で、
湿度の調整装置又は湿度の処理構造は、湿度の検知装置又は排出ポンプセット、配管に予め設けられた排出穴の湿度又は溜まる水の処理構造で構成され、この装置はその流体が気体である場合に選んで設けることが可能で、
制御ユニットは、機電又は固体電子電気回路及び関連するソフトで構成され、その機能は必要によって、流体流量の制御及びバルブの制御、流体温度の監視、制御、流体ポンプの制御、安全保護制御の機能を選ぶことが可能であり、又、入力側又はそれぞれの出力側に有害流体の検知装置を設けることで、有害流体の存在はすでに監視値を超える場合、アラームを出して、気流を切断し、又はその他制御対応策の処理を行なうことで、温度の制御及び流体流量の制御、湿度の制御などの機能が構成される制御ユニットであることを特徴とする請求項１〜６いずれか一項に記載の自然サーモ・キャリアに合わせる熱回収の流体交換システム。
【請求項１０】
流体は気体又は液体を含むものであることを特徴とする請求項１記載の自然サーモ・キャリアに合わせる熱回収の流体交換システム。
【請求項１１】
自動調整制御体１０３及び外部の受動交換流体源１０４の両者又はその一つは、下記のような特定機能のある空間又は構造で構成され、その含むものは、
（１）固定な建築のある空調空間であり、例えばビル、温室又は公共活動の建物であり、又、
（２）空調の必要な空間で、その空間は流体式の温度差体が動いている建物の中にあることが必要であり、例えば、船、浮かぶ作業台、水上建築などであり、又、
（３）気体又は液体を受ける露天空間であり、例えば、池又は谷、盆地、砂漠などの開放空間であり、又、
（４）気体又は液体を受ける密封な容器であり、例えば、気体又は液体を貯蔵する容器であり、又、
（５）それぞれの製造プロセス又は処理プロセスを行なう設備であり、又、
（６）受動的に氷が張ることを防止、又は自発的に氷を除去する機械又は家電設備であり、又、
（７）受動的に氷が張ることを防止、又、自発的に氷を除去する開放的な路面又は空港の滑走路又は水面の航路であり、又、
（８）港又は湖又は川の水道の表層及び温度差の深層であり、又、
（９）特定な地質であり、例えば、砂漠及びその周辺の環境などであることを特徴とする請求項１〜６いずれか一項に記載の自然サーモ・キャリアに合わせる熱回収の流体交換システム。
【発明の詳細な説明】
【技術分野】
【０００１】
本発明は、自然サーモ・キャリアに合わせる熱回収の流体交換システムに関する。
【背景技術】
【０００２】
本発明の申請者は、自然サーモ・キャリアに合わせる熱回収の流体交換システムに関し、特許を出願している（特許文献１参照）。
【０００３】
【特許文献１】特願平６−１５１９６２号
【発明の開示】
【発明が解決しようとする課題】
【０００４】
本発明は申請者が以前提出した上述の特許出願ケースに対して、さらにその機能を高めた自然サーモ・キャリアに合わせる熱回収の流体交換システムを提供することを目的とする。
【課題を解決するための手段】
【０００５】
上述の目的を達成するために本発明の請求項に記載の自然サーモ・キャリアに合わせる熱回収の流体交換システムは、より大きい安定の地層、地表、池、湖、川などの固体又は液体などの自然サーモ・キャリアの中に自動熱均等化装置及び流体の伝送パイプを設けてあることで、その流れで通過するより低い温度のある流体に放熱加温を行い、又は、反対方向で流れて通過する相対的に高い温度のある流体に吸熱冷却を行うことで、上述の異なる方向で流体を伝送する場合、その流体に熱回収の機能を生じるものである。
【発明を実施するための最良の形態】
【０００６】
以下、本発明の実施例を図面に基づいて説明する。
この自然サーモ・キャリアに合わせる熱回収の流体交換システムは、環境、利益及びコストの考慮によって、下記のシステムで構成されることができる。
（１）単一流路で直接伝送する熱回収の流体交換システムで構成される。
（２）単一流路で間接伝送する熱回収の流体交換システムで構成される。
（３）双方向流路で直接伝送する熱回収の流体交換システムで構成される。
（４）双方向流路で間接伝送する熱回収の流体交換システムで構成される。
【０００７】
図１は、この発明の単一流路が直接伝送する熱回収の流体交換システムの説明図である。その主要な構成は、以下の通りである。
自然サーモ・キャリア１０１は、熱貯蔵がより安定する地層、地表、池、湖、川、砂漠、氷山、海洋などの固体又は液体のサーモ・キャリアで構成されるものである。
【０００８】
自動熱均等化装置１０２は、良い熱伝導性のある材料で構成される。自然サーモ・キャリア１０１と良い熱伝導状態を維持する構造であり、又は、上述の良い熱伝導性のある材料で構成された自動熱均等化装置を自然サーモ・キャリア１０１の内部にある流体を流通させる空間で直接構成された自動熱均等化機能に変更する。
【０００９】
自動調整制御体１０３は、特定の機能がある空間又は構造で構成される。それはシステムの運転中、メインポンプ１０６の駆動を受けて、直接自動熱均等化装置１０２を通して、内部の流体を外部に送って、外部の流体を内部に導入することで、熱回収の流体交換機能を実施する。
【００１０】
外部の受動交換流体源１０４は、自然界又は人工で処理された気体又は液体などの流体源である。それはシステムの運転中、メインポンプ１０６の駆動を受けて、外部流体が自動熱均等化装置１０２を通して、自動調整制御体１０３に入ることを提供するものであり、更に自動調整制御体１０３より排出される流体を受けて、それを薄めるものである。
【００１１】
伝送パイプ１０５は、１個又は１個以上の外部の流体を導入し、又は内部の流体を排出するパイプで構成されるものである。その伝送パイプ１０５が自然サーモ・キャリア１０１と接触する間に良い断熱構造１０７を備えるか、伝送パイプは良い断熱体で製造されるのである。
メインポンプ１０６は、電力又は機械力で駆動する流体ポンプで構成されるのである。
【００１２】
ろ過装置１０８は、長い時間が経つための塞ぐことを防止可能で、清潔の機能も備えるろ過装置である。それを流体の吸入口又は出口に取り付けられ、ろ過ネット及び有害流体のろ過装置で構成される。この装置は必要によって設置することが可能である。
【００１３】
湿度の調整装置又は湿度の処理構造１０９は、湿度の検知装置又は排出ポンプセット、配管に予め設けられた排出穴の湿度又はた溜まる水の処理構造で構成される。この装置は必要によって設置することが可能である。
【００１４】
制御ユニット１１０は、機電又は固体電子電気回路及び関連するソフトで構成され、その機能は必要によって、流体流量の制御及びバルブの制御、流体温度の監視、制御、流体ポンプの制御、安全保護制御の機能を選ぶことが可能である。又、入力側又はそれぞれの出力側に有害流体の検知装置を設けることで、有害流体の存在はすでに監視値を超える場合、アラームを出して、気流を切断し、又はその他制御対応策の処理を行うことが可能である。上述によって、温度及び交換気流の流量、湿度などを調整、制御可能な機能が構成される。
【００１５】
少なくとも一つの伝送パイプ１０５を設けてある。それによって、自動調整制御体１０３、自動熱均等化装置１０２、メインポンプ１０６、及び外部の受動交換流体源１０４を貫通することで、単一流路の流体伝送通路が構成される。
【００１６】
少なくとも１セットのメインポンプ１０６を設けている。又は、必要によって、分路ポンプ２０６を設けることが可能である。メインポンプ１０６によって周期性の時計回り及び逆時計回りで流体を駆動することで、自動熱均等化装置１０２に流れてきた流体の流動方向を定時に周期的で交換して駆動する。即ち、自動調整制御体１０３の内部流体を駆動して、伝送パイプ１０５を通して自然サーモ・キャリア１０１に設けている自動熱均等化装置１０２に入ってから、再び伝送パイプ１０５及び湿度調整装置又は湿度処理構造１０９、ろ過装置１０８を通してから、外部の受動交換流体源１０４又はその他特定の空間又は構造体まで伝送する。又、外部の受動交換流体源１０４の外部流体を駆動して、ろ過装置１０８及び湿度調整装置又は湿度処理構造１０９を通してから、再び伝送パイプ１０５を経由して、自然サーモ・キャリア１０１に設けてある自動熱均等化装置１０２に入ってから、再び伝送パイプ１０５を経由して、流体を自動調整制御体１０３まで伝送することで、自動熱均等化装置１０２がその流れてきた流体に温度差によって、吸熱冷却及び放熱加温の周期変化を呈するものである。
【００１７】
図２は本発明の単一流路が間接伝送する熱回収の流体交換システムの説明図である。それは、更に、自動熱均等化装置１０２によって、その増設された１セット又は１セット以上の中継熱均等化装置２０２に間接温度エネルギーを伝送することで、単一流路が間接伝送する熱回収の流体交換システムが構成される。その主要な構成は下記のものを含む。
【００１８】
自然サーモ・キャリア１０１の中に、少なくとも１セットの熱伝導性が良い自動熱均等化装置１０２を設けることで、自動熱均等化装置１０２が自動的に自然サーモ・キャリア１０１と熱均等化の伝送機能を形成する。
【００１９】
少なくとも１セットの中継熱均等化装置２０２は、熱貯蔵及び熱伝導が良い材料で構成され、その上に、少なくとも１セットの伝送パイプ１０５を設けることで、自動熱均等化装置１０２と中継熱均等化装置２０２の間に設けることが可能である。それによって、補助ポンプ２０７の駆動する熱伝導流体２０９を伝送して、その中継熱均等化装置２０２及び自動熱均等化装置１０２の温度を接近させる。又、少なくとも別で１セットの伝送パイプ１０５、ろ過装置１０８、湿度調整装置又は湿度処理構造１０９、メインポンプ１０６を設けているので、メインポンプ１０６を駆動して自動調整制御体１０３と外部の受動交換流体源１０４の間での流体を伝送することが可能である。上述の２セットの伝送パイプ１０５の流体はすべて中継熱均等化装置２０２中継熱均等化装置２０２に流れ、中継熱均等化装置２０２を通して、相互に温度均等化の作用を行うことが可能である。
【００２０】
熱伝導流体２０９は、熱貯蔵及び熱伝導性が良い気体又は液体で構成されるものである。又、補助ポンプ２０７を駆動することで、湿度調整装置又は湿度処理構造１０９、伝送パイプ１０５を通して流路を構成する。それによって、自動熱均等化装置１０２と中継熱均等化装置２０２に均等な熱で伝送する機能をもたらせる。
【００２１】
メインポンプ１０６は、電力又は機械力で駆動する流体ポンプで構成される。
補助ポンプ１０７は、電力又は機械力で駆動する流体ポンプで構成される。
【００２２】
自動熱均等化装置１０２と中継熱均等化装置２０２との間での温度均等化システムは下記のものを含む。
（１）少なくとも１セットの自動熱均等化装置１０２と少なくとも１セットの中継熱均等化装置２０２の間に、少なくとも１セットの伝送パイプ１０５及び少なくとも１セットの流体補助ポンプ２０７、又は必要によって設けられた分路ポンプ２０６が共同に封鎖ループ形状の流路を設けることで、熱伝導性が良い熱伝導流体２０９を駆動して循環に伝送して、自動熱均等化装置１０２及び中継熱均等化装置２０２の間での温度均等化の機能を構成するのである。
【００２３】
（２）直接熱伝導が良いヒートパイプ３００を使って、自動熱均等化装置１０２及び中継熱均等化装置２０２の間での温度を均等させることで、流体のメインポンプ１０６又は分路ポンプ２０６を省略するものである。
【００２４】
（３）少なくとも１セットの自動熱均等化装置１０２と少なくとも１セットの中継熱均等化装置２０２の間に、少なくとも１セットの伝送パイプ１０５及び少なくとも１セットの流体メインポンプ１０６で開放型の流路を設けることで、熱伝導性が良い熱伝導流体２０９を駆動して、単一方向の開放性で駆動することによって、自動熱均等化装置１０２及び中継熱均等化装置２０２の間での温度均等化の機能を構成するのである。
【００２５】
（４）中継熱均等化装置２０２の上に自動調整制御体１０３及び外部の受動交換流体源１０４と繋ぐ伝送パイプ１０５が設けられる。又、メインポンプ１０６によって周期性の時計回り及び逆時計回りで流体を駆動することで、自動調整制御体１０３を駆動して外部の受動交換流体源１０４に送られた内部流体、又は外部の受動交換流体源１０４を駆動して、自動調整制御体１０３に送られた外部流体を中継熱均等化装置２０２に流れる流動方向は周期交換を呈して、中継熱均等化装置２０２がそのその流れてきた流体に温度差によって、吸熱冷却及び放熱加温の周期変化を呈することで、間接自然サーモ・キャリアに合わせる熱回収の流体交換システムを構成するものである。
【００２６】
図３はこの発明の双方向流路で直接伝送する熱回収の流体交換システムの説明図である。その主要な構成は下記の通りである。
自然サーモ・キャリア１０１は、熱貯蔵がより安定する地層、地表、池、湖、川、砂漠、氷山、海洋などの固体又は液体のサーモ・キャリアで構成されるものである。
自動調整制御体１０３と外部の受動交換流体源１０４との間に、それぞれ２セットの独立で流体を通過する伝送パイプ１０５が設けられるので、独立で自然サーモ・キャリア１０１に設けてある自動熱均等化装置１０２と繋がる。その中での一つの流路は、自動調整制御体１０３の内部での流体をメインポンプ１０６の駆動によって、湿度調整装置又は湿度処理構造１０９及び自動熱均等化装置１０２を経由してから、再びろ過装置１０８を通して、外部の受動交換流体源１０４又はその他特定機能ある空間構造に排出することを提供する。又、別一つの流路は、外部の受動交換流体源１０４の流体をメインポンプ１０６の駆動によって、ろ過装置１０８、湿度調整装置又は湿度処理構造１０９を経由してから、再び自動熱均等化装置１０２を通して、自動調整制御体１０３と繋がることを提供する。二つの独立の流路に個別で運転可能なメインポンプ１０６を設けてあることで、同時に個別の独立する流体の伝送パイプ１０５に異なる方向の駆動を行うことを可能とする。
【００２７】
図４は図３の中での個別のメインポンプを共用構造で運転する双方向のメインポンプに変更する実施例である。その図４の主要な特徴は、下記の通りである。
少なくとも１セットの共用構造で運転する双方向のメインポンプ１００６によって、同時に個別で独立する伝送パイプ１０５の流体に異なる方向へ駆動することが可能である。この共用構造で運転する双方向のメインポンプ１００６は、更に周期交換で流体方向を駆動することも可能である。
【００２８】
２セットの個別で独立する伝送パイプ１０５の中での流体の通過する自動熱均等化装置１０２を自然サーモ・キャリア１０１に共用構造、又は隣接で設置、個別で独立設置することが可能である。
【００２９】
図５はこの発明の双方向流路が間接伝送する熱回収の流体交換システムの説明図である。その主要な構成は下記の通りである。
自然サーモ・キャリア１０１はそれは熱貯蔵がより安定する地層、地表、池、湖、川、砂漠、氷山、海洋などの固体又は液体のサーモ・キャリアで構成されるものである。
【００３０】
少なくとも１セットの自動熱均等化装置１０２があり、それは良い熱伝導性のある材料で構成される。それを自然サーモ・キャリア１０１の中に設けることで、自動熱均等化装置１００２と自然サーモ・キャリア１０１はすべて熱均等化の伝送機能が形成されるものである。
【００３１】
中継熱均等化装置２０２、少なくとも１セットの中継熱均等化装置２０２は、熱貯蔵及び熱伝導が良い材料で構成され、中継熱均等化装置２０２の中に、少なくとも１セットの伝送パイプ１０５を設けることで、自動熱均等化装置１０２と流体通路が構成されるので、補助ポンプ２０７の駆動する熱伝導流体２０９を伝送することが可能となる。このシステムの中に、少なくとも１セットの伝送パイプ１０５を設けてあるので、メインポンプ１０６の駆動する外部の受動交換流体源１０４流体が中継熱均等化装置２０２を通して、自動調整制御体１０３に転じることが可能である。又、少なくとも１セットの伝送パイプ１０５を設けることで、メインポンプ１０６の駆動する自動調整制御体１０３の中での流体が中継熱均等化装置２０２を通して、駆動する外部の受動交換流体源１０４、又はその他の特定機能がある空間の構造に排出する。上述の３セットの伝送パイプは、中継熱均等化装置２０２によって、相互にエネルギーを伝送することで、間接的に自然サーモ・キャリア１０１に合わせる熱回収の流体交換システムを構成するものである。
【００３２】
２セットの個別で独立する伝送パイプ１０５の中での流体の通過する中継熱均等化装置２０２を自然サーモ・キャリア１０１に共用構造、又は隣接で設置、個別で独立設置するため、それは自動熱均等化装置１０２との間にすべて熱均等化の伝送機能を備える装置である。
【００３３】
上述の図２及び図５で示され、及びその関連の説明で述べた自動熱均等化装置１０２と中継熱均等化装置２０２の間での熱均等化の方式は下記のものを含む。
（１）少なくとも１セットの自動熱均等化装置１０２と少なくとも１セットの中継熱均等化装置２０２の間に、少なくとも１セットの伝送パイプ１０５及び少なくとも１セットの流体補助ポンプ１０６、又は必要によって設けられた分路ポンプ２０６が共同に封鎖ループ形状の流路を設けることで、熱伝導性が良い熱伝導流体２０９を駆動して循環に伝送して、自動熱均等化装置１０２及び中継熱均等化装置２０２の間での温度均等化の機能を構成するのである。
【００３４】
（２）直接熱伝導が良いヒートパイプ３００を使って、自動熱均等化装置１０２及び中継熱均等化装置２０２の間での温度を均等させることで、流体のメインポンプ１０６又は分路ポンプ２０６を省略するものである。
【００３５】
（３）少なくとも１セットの自動熱均等化装置１０２と少なくとも１セットの中継熱均等化装置２０２の間に、少なくとも１セットの伝送パイプ１０５及び少なくとも１セットの流体補助ポンプ２０７で開放型の流路を設けることで、熱伝導性が良い熱伝導流体２０９を駆動して、単一方向の開放性で駆動することによって、自動熱均等化装置１０２及び中継熱均等化装置２０２の間での温度均等化の機能を構成するのである。
【００３６】
（４）少なくとも１セットの中継熱均等化装置２０２と少なくとも１セットの自動熱均等化装置１０２の間に、熱伝導流体２０９を通過することを提供する伝送パイプ１０５及び補助ポンプ２０７でを設けてあるので、熱伝導流体２０９を駆動する補助ポンプ２０７が単一方向の駆動、又は定時に周期的で駆動する流体の流動方向を交換することで、中継熱均等化装置２０２と自動熱均等化装置１０２の間での温度差を均等にさせられるものである。
【００３７】
上述の図３及び図４及び図５で示され、及びその関連の説明で述べた自動調整制御体１０３と外部の受動交換流体源１０４の間での流体を通過させる２セットの独立の伝送パイプ１０５は、それぞれ流体を駆動してから、自動熱均等化装置１０２又は中継熱均等化装置２０２と繋がる。その個別で駆動する方式は下記のものを含む。
【００３８】
（１）個別で設けられた個別で運転できるメインポンプ１０６に、同時に個別で独立する流体伝送パイプ１０５の中での流体を異なる方向に駆動することができる。
（２）少なくとも１セットの共用構造で運転する双方向のメインポンプ１００６によって、同時に個別で独立する流体の伝送パイプ１０５の中での流体を異なる方向に駆動することが可能である。又、そのメインポンプ１０６が更にその駆動する流体方向を周期に変換することが可能となる。
【００３９】
上述の図１、図２、図３、図４、図５で示され、及びその関連の説明で述べた伝送パイプ１０５は、熱貯蔵が良い材料及び特定な形状がある材料で構成され、それは充分の長さがあるので、自然サーモ・キャリア１０１に埋めることが可能である。そのため、自動熱均等化装置１０２をそれに変更して熱均等化の機能を構成するものである。
【００４０】
上述の図１、図２、図３、図４、図５で示され、及びその関連の説明で述べた周期変換で駆動する流体の流動方向は、更に、同一のメインポンプ１０６で単一方向の駆動を行うことが可能である。又、パイプ流れバルブ４００によって周期変換で駆動する流体の流動方向、又は、複数セットの異なる流動方向を駆動可能なポンプによって、周期変換で流体の流動方向を駆動することが可能となる。
【００４１】
上述の図１、図２、図３、図４、図５で示され、及びその関連の説明で述べた自然サーモ・キャリアに合わせる熱回収の流体交換システムに関するものである。それは必要によって、下記のような補助制御管理装置を選んで設けることが可能である。
【００４２】
流量計は、交換流体の流量を累積で計算可能である。この装置は必要によって設けることが可能である。
ろ過装置は長い時間が経つための塞ぐことを防止可能で、清潔の機能も有するろ過装置である。それは流体の吸入口又は出口に取り付ける、ろ過ネット及び有害流体のろ過装置で構成されるものである。この装置は必要によって設けることが可能である。
流量の調節バルブは、人工又は機械で交換流量又は放熱量を制御するものである。この装置は必要によって設けることが可能である。
【００４３】
湿度の調整装置又は湿度の処理構造は、湿度の検知装置又は排出ポンプセット、配管に予め設けられた排出穴の湿度又はた溜まる水の処理構造で構成されるものである。この装置はその流体が気体である場合に選んで設けることが可能である。
【００４４】
制御ユニットは、機電又は固体電子電気回路及び関連するソフトで構成され、その機能は必要によって、流体流量の制御及びバルブの制御、流体温度の監視、制御、流体ポンプの制御、安全保護制御の機能を選ぶことが可能である。又、入力側又はそれぞれの出力側に有害流体の検知装置を設けることで、有害流体の存在はすでに監視値を超える場合、アラームを出して、気流を切断し、又はその他制御対応策の処理を行うことで、温度の制御及び流体流量の制御、湿度の制御などの機能が構成される制御ユニットである。
【００４５】
上述の図１、図２、図３、図４、図５で示され、及びその関連の説明で述べた流体は気体又は液体を含むものである。
上述の図１、図２、図３、図４、図５で示され、及びその関連の説明で述べた自動調整体１０３及び外部の受動交換流体源１０４の両者又はその一つは、下記のような特定機能のある空間又は構造で構成されるものである。
【００４６】
（１）固定な建築のある空調空間であり、例えばビル、温室又は公共活動の建物。
（２）空調の必要な空間であるし、その空間は流体式の温度差体が動いている建物の中にあることが必要であり、例えば、船、浮かぶ作業台、水上建築など。
（３）気体又は液体を受ける露天空間であり、例えば、池又は谷、盆地、砂漠などの開放空間。
（４）気体又は液体を受ける密封な容器であり、例えば、気体又は液体を貯蔵する容器。
（５）それぞれの製造プロセス又は処理プロセスを行う設備である。
（６）受動的に氷が張ることを防止、又は自発的に氷を除去する機械又は家電設備である。
（７）受動的に氷が張ることを防止、又、自発的に氷を除去する開放的な路面又は空港の滑走路又は水面の航路である。
（８）港又は湖又は川の水道の表層及び温度差の深層である。
（９）特定な地質であり、例えば、砂漠及びその周辺の環境など。
【００４７】
上述によって、この自然サーモ・キャリアに合わせる熱回収の流体交換システムは、自然サーモ・キャリアを安定な吸熱及び放熱対として、自動調整制御体が外部の受動交換流体源の間に、流体交換の機能を行う場合、自然サーモ・キャリアに設けられる自動熱均等化装置を使って、又は、自動熱均等化装置の中に設けられた熱伝導流体によって相互に均等化温度の伝送を行うことが可能である中継均等化装置がその通過した相対高温のある流体に吸熱冷却、又はその通過した相対低温のある流体に吸熱冷却、又は放熱加温の熱回収機能を行うことが可能である。このシステムは確実な機能があるので、法律によって特許の申請を提出する。
【００４８】
この発明の自然サーモ・キャリアに合わせる熱回収の流体交換システムに関するものである。それは自然界に貯蔵される相対的に安定の地層、地表、池、湖、川などの固体又は液体などの自然な物体で自然サーモ・キャリアが構成される。又、自然サーモ・キャリアの中に良い熱伝導性がある自動熱均等化装置を設けてある。又、自然サーモ・キャリア自体に備える流体を貯める空間で伝送パイプと繋がることで、直接自動熱均等化装置の機能が構成される。又、自動熱均等化装置に通過する相対的に高い温度のある流体に吸熱及び冷却を行い、又は自動熱均等化装置に通過する相対的に低い温度のある流体に放熱加温及び冷却を行うことで、自動調整制御体が外部の受動交換流体源に温度差のある流体を排出する場合、又は、外部の受動交換流体源が自動調整制御体に温度差のある流体を流す場合、自然サーモ・キャリアに設けられる自動熱均等化装置を使って、上述の通過した流体に自動熱均等化装置との相対温度差によって、吸熱冷却、又は放熱加温の熱回収機能を行うものである。
【図面の簡単な説明】
【００４９】
【図１】本発明の実施例による自然サーモ・キャリアに合わせる熱回収の流体交換システムにおいて単一流路が直接伝送する熱回収の流体交換システムを示す説明図である。
【図２】本発明の実施例による自然サーモ・キャリアに合わせる熱回収の流体交換システムにおいて単一流路が間接伝送する熱回収の流体交換システムを示す説明図である。
【図３】本発明の実施例による自然サーモ・キャリアに合わせる熱回収の流体交換システムにおいて双方向流路で直接伝送する熱回収の流体交換システムを示す説明図である。
【図４】図３の中での個別のメインポンプを共用構造で運転する双方向のメインポンプに変更する実施例である。
【図５】本発明の実施例による自然サーモ・キャリアに合わせる熱回収の流体交換システムにおいて双方向流路で間接伝送する熱回収の流体交換システムを示す説明図である。
【符号の説明】
【００５０】
１０１  自然サーモ・キャリア、１０２  自動熱均等化装置、１０３  自動調整制御体、１０４  外部の受動交換流体源、１０５  伝送パイプ、１０６  メインポンプ、１０７  良い断熱構造、１０８  ろ過装置、１０９  湿度調整装置又は湿度処理構造、１１０  制御ユニット、２０２  中継熱均等化装置、２０６  分路ポンプ、２０７  補助ポンプ、２０９  熱伝導流体、３００  ヒートパイプ、４００  パイプ流れバルブ、１００６  共用構造で運転する双方向のメインポンプ
【図１】
0004755811.tif 000002
【図２】
0004755811.tif 000003
【図３】
0004755811.tif 000004
【図４】
0004755811.tif 000005
【図５】
0004755811.tif 000006